(57)【特許請求の範囲】
【請求項１】
衛生用薬液を貯留するためにベースン内部に配置される袋状のベースンカバーと、ベースンカバー内に貯留する前記衛生用薬液の流動性を低下させるための薬液固化剤とからなり、前記ベースンカバーが対向する前壁部と後壁部とを有し、頂部側に開口する袋体であって、前記袋体の各側縁部は、側縁部の途中からその底部側の端部にかけて封止されている一方で、側縁部の封止されていない部分では互いに分離していることを特徴とする衛生用薬液処理用具セット。
【請求項２】
前記ベースンカバーは、可撓性フィルムにより、側縁部の途中から底部側の端部にかけての封止された部位が底部側に向けてその横幅が徐々に狭くなるように形成されたことを特徴とする請求項１に記載の衛生用薬液処理用具セット。
【請求項３】
前記薬液固化剤が、前記ベースンカバーとは別体として設けられた水溶紙で包装された包装体から構成されていることを特徴とする請求項１又は請求項２に記載の衛生用薬液処理用具セット。
【請求項４】
（１）前壁部と後壁部とを有し、頂部側に開口する袋体状に形成され、その側縁部の途中からその底部側の端部にかけて封止されている一方で、側縁部の封止されていない部分では互いに分離しており、その内部に衛生用薬液を貯留可能なベースンカバーと、前記衛生用薬液の流動性を低下させる液状固化剤とを準備し、
（２）前壁部と後壁部とが封止された前記ベースンカバーの側縁部の途中から底部側の部位をベースン内部に配置する一方で、側縁部の封止されていない部分を広げて前記ベースンを覆い、その後にこのベースンカバー内に衛生用薬液を貯留し、
（３）ベースンカバー内の衛生用薬液に薬液固化剤を加えてその流動性を低下させ、
（４）その後、広げられていたベースンカバーの封止されていない部分を係り合わせてこのベースンカバーの開口部を閉鎖し、
（５）流動性の低下した衛生用薬液をベースンカバーごと廃棄することを特徴とする衛生用薬液処理方法。
【請求項５】
可撓性フィルムで形成され、対向し合う前壁部と後壁部を備え、頂部側に開口する袋体であって、前記袋体の側縁部の途中からその底部側の端部にかけて封止され、底部側に向かって横幅が徐々に狭くなるよう形成されて、ベースン内部に配される配設部と、側縁部が封止されず互いに分離して、ベースンの縁部を覆うつば状部分とを有し、前記配置部は、衛生用薬液を貯留するために使用されることを特徴とするベースンカバー。
【発明の詳細な説明】
【０００１】
【発明の属する技術分野】
本発明は、病院等の医療機関、学校等に設けられた保健室、食品等を製造する工場、或いはその他の施設においてベースン内に溜めて使用する消毒液や洗浄液等の廃棄に便利な衛生用薬液処理用具、衛生用薬液処理方法、ベースンカバー、及び薬液固化剤に関する。
【０００２】
【従来の技術】
病院等の医療機関においては手などの洗浄を行う際に、ベースンに消毒液や洗浄液を入れて、その中で洗浄を行っている。使用済みの廃液は、そのまま下水道に流すと外部環境に悪影響を与えるおそれがあるので、ポリエチレン袋に入れて廃棄ボックス等に投棄している。廃棄ボックスに投棄された廃液は、その後、所定の処理を受けることになる。
【０００３】
このような従来の方法では、薬液を廃棄する度にベースンからポリエチレン袋に廃液を移し換え、汚れたベースンを洗浄・殺菌しなくてはならないので、それらの作業に手間がかかる。また、ポリエチレン袋に入れた廃液は液状であり、袋の開口部をかなり厳重に閉じないと漏れやすく、もし袋に穴があくと流出してしまうので、その取扱いが面倒である。
【０００４】
【発明が解決しようとする課題】
本発明は上記実情に鑑みて成し遂げられたものであり、その第１の目的は、ベースン内の薬液を廃棄する際に従来行われていた上記諸作業の手間をなくすことにある。また、第２の目的は、廃棄用袋に入れた廃液の漏れや流出を防止することにある。さらに第３の目的は、ベースン内の薬液を廃棄する際の問題点を総合的に解決した廃液処理用具のセット及び廃液処理方法を提供することにある。
【０００５】
【課題を解決するための手段】
本発明において上記目的を達成するために提供される衛生用薬液処理用具セットは、衛生用薬液を貯留するためにベースン内部に配置される袋状のベースンカバーと、ベースンカバー内に貯留する前記衛生用薬液の流動性を低下させるための薬液固化剤とからなり、前記ベースンカバーが対向する前壁部と後壁部とを有し、頂部側に開口する袋体であって、前記袋体の各側縁部は、側縁部の途中からその底部側の端部にかけて封止されている一方で、側縁部の封止されていない部分では互いに分離していることを特徴としている。
【０００６】
また、本発明において提供される衛生用薬液処理方法は、上記衛生用薬液処理用具セットを使用するものであり、（１）前壁部と後壁部とを有し、頂部側に開口する袋体状に形成され、その側縁部の途中からその底部側の端部にかけて封止されている一方で、側縁部の封止されていない部分では互いに分離しており、その内部に衛生用薬液を貯留可能なベースンカバーと、前記衛生用薬液の流動性を低下させる液状固化剤とを準備し、（２）前壁部と後壁部とが封止された前記ベースンカバーの側縁部の途中から底部側の部位をベースン内部に配置する一方で、側縁部の封止されていない部分を広げて前記ベースンを覆い、その後にこのベースンカバー内に衛生用薬液を貯留し、（３）ベースンカバー内の衛生用薬液に薬液固化剤を加えてその流動性を低下させ、（４）その後、広げられていたベースンカバーの封止されていない部分を係り合わせてこのベースンカバーの開口部を閉鎖し、（５）流動性の低下した衛生用薬液をベースンカバーごと廃棄することを特徴としている。
【０００７】
好適なベースンカバーとしては、可撓性フィルムで形成され、対向し合う前壁部と後壁部を備え、頂部側に開口する袋体であって、前記袋体の各側縁部は、側縁部の途中からその底部側の端部にかけて封止されており、前記前壁部と後壁部は、側縁部が封止されている部分では底部側に向かって横幅が徐々に狭くなっていると共に、側縁部が封止されていない部分では互いに分離している袋体からなるベースンカバーが使用される。好適な薬液固化剤としては、衛生用薬液の流動性を低下させることのできる薬液固化剤を水溶紙で包装した形態のものが使用される。
【０００８】
本発明においては、消毒液や洗浄液等の衛生用薬液を溜めることのできる袋状のベースンカバーをベースン内部に配置し、その配置されたベースンカバー内に衛生用薬液をそそぎ込むので、ベースンは薬液と直接接触しない。従って、薬液を廃棄した後でもベースンは汚れておらず、洗浄・殺菌することなくこれを再使用できる。また、ベースンカバーを使用する場合には、ベースンカバーごと廃液を取り出し次いでベースンカバーの開口部を封止すれば廃棄できるので、薬液を廃棄用の袋に移し換える必要がない。
【０００９】
ベースンカバーとしては、可撓性フィルムで形成され、対向し合う前壁部と後壁部を備え、頂部側に開口する袋体であって、前記袋体の各側縁部は、側縁部の途中からその底部側の端部にかけて封止されており、前記前壁部と後壁部は、側縁部が封止されている部分では底部側に向かって横幅が徐々に狭くなっていると共に、側縁部が封止されていない部分では互いに分離している袋体からなるベースンカバーを使用するのが好ましい。
【００１０】
この好適なベースンカバーは、衛生用薬液を貯留する部分、すなわち側縁部が封止されている部分の前壁部と後壁部の横幅が底部側に向かって徐々に狭くなっているので、ベースンの内部形状によく適合する。また、この好適なベースンカバーの頂部側は側縁部が封止されていないので、前壁部と後壁部の上端部をつば状に広げることができる。このベースンカバー上端部のつば状部分は、ベースンカバーをベースン内部に配置した時に花びらのように広がってベースンの縁部に覆いかぶさるので、ベースンカバーの安定性を高めると共に、薬液のはね飛びによるベースン縁部の汚染を防止する。さらに、このベースンカバー上端部のつば状部分は、薬液をベースンカバーごと廃棄する時に、ベースンカバーの開口部をしっかり封止するのに役立つので、廃棄後の薬液の漏れを少なくする。
【００１１】
本発明においては、使用済みの衛生用薬液に、薬液の流動性を低下させることのできる薬液固化剤を加えてから廃棄するので、ベースンカバーや廃棄用袋に入っている廃液が流れ出にくい。従って、ベースンカバーや廃棄用袋の開口部があまりしっかりと封止されていなくても漏れが少なく、また、ベースンカバーや廃棄用袋が破袋しても廃液が流出しにくい。
【００１２】
薬液固化剤としては、薬液固化剤を水溶紙で包装した形態のものを使用するのが好ましい。薬液固化剤を水溶紙で包装しておくと、包装体のまま使用済み薬液の中に投入できるので、使用者が固化剤の計量や包装体の開封などを行う必要がない。
【００１３】
本発明のベースンカバーと薬液固化剤は、それぞれ単独でも高い有用性を有しているが、両者を併用する場合には総合的な衛生用薬液処理システムが構築されるので非常に効果的である。
【００１４】
【発明の実施の形態】
以下において、本発明をさらに詳しく説明する。本発明で処理される衛生用薬液とは、従来ベースンに溜めて使用していた消毒液や洗浄液等の薬液を意味する。本発明では、このような衛生用薬液を溜めることのできる袋体（可撓性の容器全般を含む）であって、ベースン内部に配置した時にベースンの内面形状にある程度適合するものであればベースンカバーとして使用できる。例えば、比較的底の浅い矩形状のポリエチレン袋でもベースンカバーとして使用できる。
【００１５】
図１〜図３は、好適なベースンカバーの一例（１０１）を示したものである。なお、図１はベースンカバー１０１の正面図であり、図２及び図３はベースンカバー１０１の構造を説明するための斜視図である。ベースンカバー１０１は、可撓性フィルムで形成された袋体であって、対向し合う前壁部１と後壁部２を備えている。可撓性フィルムとしては、例えばポリエチレンやポリプロピレンのようなポリオレフィンのフィルムを使用できる。なお、前壁部と後壁部を剥離しやすくするために、前壁部１よりも後壁部２を若干長くし（Ｓ６）、両者の上端をずらしている。
【００１６】
この袋体は頂部側に開口しており、右側縁部、底縁部及び左側縁部に沿って側縁シール部３、底縁シール部４及び他方の側縁シール部３が連続的に形成されている。各側縁部は、側縁部の途中ａからその底部側の端部ｂにかけて封止されており、側縁部の途中ａからその頂部側の端部ｃにかけては封止されていない。
【００１７】
前壁部１と後壁部２の横幅は、側縁部が封止されている部分（すなわち位置ａの高さから底部側の部分）では底部側に向かうにつれて徐々に狭くなっている。このため、ベースンカバー１０１の底部は逆台形状を呈している。ベースンカバー１０１をベースン内部に配置して衛生用薬液を注ぎ込むと、側縁部が封止されている底部寄りの部分は薬液を溜め込むために機能する。その時、この部分はベースンの底部内面及び側部内面に接するが、逆台形状を呈しているので、ベースンの内面形状への追従性が良い。
【００１８】
一方、ベースンカバー１０１の側縁部が封止されていない部分（すなわち位置ａの高さから頂部側の部分）では、前壁部１と後壁部２が互いに分離している。このため、図２及び図３に示すように、前壁部１と後壁部２の頂部寄りの部分をつば状に広げることができる。このつば状の部分は、図４Ｂに示すように、ベースンカバー１０１をベースン５の内部に配置した時に花びらのように広がってベースンの縁部に覆いかぶさるので、ベースンカバーの安定性を高めると共に、薬液のはね飛びによるベースン縁部の汚染を防止する。さらに、このベースンカバー上部のつば状部分は、図６に示すように、薬液をベースンカバーごと廃棄する時に、ベースンカバーの開口部をしっかりと封止するのに役立つので、廃棄後の薬液の漏れを少なくする。
【００１９】
ベースンカバー１０１の寸法はベースンの大きさによって適宜決定すればよいが、標準的な容量約３リットルのベースンに使用する場合には、以下に示す寸法とするのが好ましい。
【００２０】
頂部側の横幅（Ｓ１）  ７００±１０ｍｍ
全高（Ｓ２）          ５００±１０ｍｍ
側縁部の非シール部分の長さ（Ｓ３）  ３００±１０ｍｍ
側縁部のシール部分の長さ（Ｓ４）    ２５０±１０ｍｍ
底部側の横幅（Ｓ５）  ２００±１０ｍｍ
前壁部と後壁部の長さの差（Ｓ６）    ２０±５ｍｍ
廃棄用袋又はベースンカバーに入れて廃棄した使用済みの薬液が、封止された袋の開口部から漏れ出したり或いは破袋により袋にあいた穴から流れ出したりするのを防止するためには、薬液中に薬液固化剤を投入して、その流動性を低下させるのが好ましい。このような薬液固化剤は、袋からの薬液の漏れや流出を遅延し或いは量的に少なくし、理想的には完全に阻止する。
【００２１】
本発明では、消毒液や洗浄液のようなベースンに溜めて使用する薬液の流動性を低下させることのできるものであれば薬液固化剤として使用できる。薬液固化剤は、必ずしも薬液を完全に固化させるものである必要はなく、例えば、薬液を部分的に固化するが液体部分を残すものや、薬液を固化するのではなく粘度の高い流動体にするものなどであっても差し支えない。
【００２２】
薬液固化剤としては、例えば、使い捨ておむつや生理用品に使用されている吸水性高分子ゲル化剤（例えば、住友精化（株）製「アクアキープＳＡ６０」（商品名））を使用することができる。また、吸水によるゲル化又は膨潤化のような物理化学的な固化や流動性の低下ではなく、化学反応による固化や流動性の低下を利用してもよい。
【００２３】
薬液固化剤を１回分又は薬液の単位容量当たりの使用量に分けた包装体にしておくと、使用者が必要量をいちいち計量する手間がないので便利である。上記アクアキープＳＡ６０の場合であれば、衛生用薬液１リットルに対して３０ｇ程度使用するのが適切である。薬液固化剤を必要量ごとの包装体とする場合には、水溶紙で包装するのが特に好ましい。消毒液や洗浄液等の薬液は、通常、水溶液なので、水溶紙の包装体であれば包装体のまま薬液中に投入することができ、使用者が包装体を開封する必要がない。
【００２４】
なお、薬液固化剤を水溶紙の包装体のままで薬液中に投入する場合には、薬液が固化するまでの所要時間が遅延する傾向がある。その理由は、包装体のままで薬液中に投入すると薬液固化剤の拡散が遅くなるためと推定される。この問題を解決するためには、薬液固化剤を水溶紙で包装する時に１回分を２〜３包に分けて包装しておき、それらを薬液中に投入する時に互いに離れた場所に投入すればよい。
【００２５】
図４〜図６は、ベースンカバーと薬液固化剤を使用して衛生用薬液を処理する方法の一例を示したものである。この方法においては、先ず図４Ａに示すように、ベースン５の内部にベースンカバー１０１を配置する。この際に、ベースンカバーの底部側の部分はベースンの内部空間に位置し、ベースンカバーの頂部側の部分は花びら状に広がってベースンの縁部を覆い隠す。ベースンカバーの配置後、図４Ｂに示すように、衛生用薬液６をベースンカバー内へ注ぎ込んで溜め、手などの洗浄・消毒に使用する。この時、使用者は、ベースンに直接薬液を溜めているのと同じように薬液を利用できる。
【００２６】
使用済みの衛生用薬液を廃棄する際には、図５Ａに示すように薬液固化剤１０２を廃液中に投入し、その流動性を低下させる。図示した薬液固化剤１０２は、吸水性高分子ゲル化剤を水溶紙で包装したものであり、一回分の使用量を２包に分けて包装している。２個の包装体は、互いになるべく離れた位置に投入する。この薬液固化剤１０２を包装体のままベースンカバー内の廃液中に投入し、静置しておくと、図５Ｂに示すように廃液がゲル化する（７）。ゲル化の終了は肉眼で確認できる。なお、薬液固化剤の投入後に廃液を静置してもゲル化は充分に進行するので、廃液をかき回す必要がない。むしろ廃液をかき回すと、廃液が飛び跳ねるおそれがある。
【００２７】
ゲル化が終了したら、図５Ｂに示すように、廃液７をベースンカバー１０１ごと取り出す。この時ベースン５は廃液が全く付着していないので、洗浄・殺菌をすることなく再使用できる。
【００２８】
一方、ゲル化した廃液７の入ったベースンカバー１０１は、ベースンから取り出した後、図６Ａ及び６Ｂに示すように、開口部を閉じて廃棄する。廃液を別の廃棄用袋に移し換える必要はない。開口部の閉じ方は特に制限されない。図６Ｂのように粘着テープを使用して閉じる場合には、ベースンカバー１０１の頂部側のつば状部分を数回折り畳むことによって開口部の密封性が高まり、廃液が漏れにくくなる。図７のようにベースンカバー１０１の頂部側のつば状部分を結んで閉じる場合には開口部の密封性が多少劣る。しかしながら、その場合であっても廃液がゲル化しているのであれば漏れにくい。
【００２９】
ベースンカバーと薬液固化剤を併用すると効果的であるが、これらは、それぞれ単独で使用してもよい。ベースンカバーを単独で使用する場合には、ベースンカバー内の廃液を固化させずにベースンカバーの開口部を閉じればよい。また、薬液固化剤を単独で使用する場合には、ベースン内の廃液中に薬液固化剤を投入してから廃棄用袋に移し換えるか、或いはベースン内の廃液を廃棄用袋に移し換えた後で薬液固化剤を投入すればよい。
【００３０】
【発明の効果】
以上説明したように、本発明によれば、ベースンに入っている使用済み薬液を廃棄する際に、使用者の手間を大幅に軽減することができ、また、使用済み薬液の漏れや流出による汚染や事故を防止することができる。従って本発明は、医療機関或いはその他の施設において好適に利用することができる。
【図面の簡単な説明】
【図１】本発明のベースンカバーの一例の正面図である。
【図２】図１のベースンカバーの構造を説明する斜視図である。
【図３】図１のベースンカバーの構造を説明する斜視図である。
【図４】本発明の衛生用薬液処理方法の一工程を説明する図である。
【図５】本発明の衛生用薬液処理方法の一工程を説明する図である。
【図６】本発明の衛生用薬液処理方法の一工程を説明する図である。
【図７】本発明の衛生用薬液処理方法の一例を説明する図である。
【符号の説明】
１０１…ベースンカバー
１０２…薬液固化剤
１…前壁部
２…後壁部
３…側縁シール部
４…底縁シール部
５…ベースン
６…薬液
７…ゲル化した廃液
【図１】
0003939386.tif 000002
【図２】
0003939386.tif 000003
【図３】
0003939386.tif 000004
【図４】
0003939386.tif 000005
【図５】
0003939386.tif 000006
【図６】
0003939386.tif 000007
【図７】
0003939386.tif 000008